(57)【要約】【課題】内刃の往復直線運動を安定させることに貢献する構造を有する電気かみそりを提供する。【解決手段】電気かみそり１は、外刃９０と、この外刃９０に対して往復直線運動する内刃と、内刃および外刃９０を支持する装置本体１０とを有する。また、内刃を往復直線運動させる電動モーター２１と、電動モーター２１の力を内刃に伝達するヘッドリンク５３および中継部材５４と、内刃を外刃９０に押し付ける２つのばね６１とを有する。ヘッドリンク５３の刃接続部分５３Ｂは、内刃保持部８０の縦方向ＷＡにおいて中央の連結部８２に接続する。【選択図】図１５
2013090670.tif 000002
【特許請求の範囲】
【請求項１】
外刃と、この外刃に対して往復直線運動する内刃と、前記内刃および前記外刃を支持する本体と、前記内刃を往復直線運動させる駆動源と、前記駆動源の力を前記内刃に伝達する伝達部と、前記内刃を前記外刃に押し付けるばねとを有する電気かみそりにおいて、
前記本体の長手方向は、前記外刃の平面視において、前記往復直線運動の方向である縦方向と一致し、
前記内刃は、前記伝達部が連結される連結部を有し、
前記連結部は、前記内刃のうちの前記縦方向の中間部分に位置する
ことを特徴とする電気かみそり。
【請求項２】
請求項１に記載の電気かみそりにおいて、
前記外刃の平面視において前記縦方向と直交する方向を横方向とし、前記縦方向および前記横方向と直交する方向を奥行方向として、
前記伝達部は、相対的な運動が可能な状態で互いに接続される第１伝達部および第２伝達部を有し、
前記第１伝達部は、前記長手方向に延びる形状を有し、
前記第２伝達部は、前記奥行方向に延びる形状を有し、
前記第１伝達部の入力側端部は、前記駆動源に接続され、
前記第２伝達部の出力側端部は、前記連結部に接続される
ことを特徴とする電気かみそり。
【請求項３】
請求項２に記載の電気かみそりにおいて、
前記電気かみそりは、２つの前記ばねを有し、
前記２つのばねは、前記第２伝達部と対向する箇所に位置する
ことを特徴とする電気かみそり。
【請求項４】
請求項１〜３のいずれか一項に記載の電気かみそりにおいて、
前記連結部は、前記本体の長手方向の中心線上に位置する
ことを特徴とする電気かみそり。
【請求項５】
請求項１〜４のいずれか一項に記載の電気かみそりにおいて、
前記連結部は、前記駆動源の回転中心線上に位置する
ことを特徴とする電気かみそり。
【請求項６】
請求項２および請求項３の少なくとも一方を引用する請求項４、または請求項２および請求項３の少なくとも一方を引用する請求項５に記載の電気かみそりにおいて、
前記第１伝達部は、相対的な運動が可能な状態で互いに接続される伝達部Ａ１、伝達部Ａ２、および伝達部Ａ３を有し、
前記伝達部Ａ１は、前記長手方向に延びる形状を有し、
前記伝達部Ａ２は、前記奥行方向に延びる形状を有し、
前記伝達部Ａ３は、前記長手方向に延びる形状を有し、
前記第１伝達部の入力側端部としての前記伝達部Ａ１の一方の端部は、前記駆動源に接続され、
前記第１伝達部の出力側端部としての前記伝達部Ａ３の一方の端部は、前記第２伝達部に接続される
ことを特徴とする電気かみそり。
【発明の詳細な説明】
【技術分野】
【０００１】
本発明は、外刃と、この外刃に対して往復直線運動する内刃と、内刃および外刃を支持する本体と、内刃を往復直線運動させる駆動源と、駆動源の力を内刃に伝達する伝達部と、内刃を外刃に押し付けるばねとを有する電気かみそりに関する。
【背景技術】
【０００２】
特許文献１は、上記電気かみそりの一例を開示している。
【先行技術文献】
【特許文献】
【０００３】
【特許文献１】特公昭６０−３７７４９号公報
【発明の概要】
【発明が解決しようとする課題】
【０００４】
上記電気かみそりの伝達部は、内刃の把持部側の端部に接続されているため、伝達部の力が内刃の一方に偏って伝達される。このため、内刃の往復直線運動が安定しないおそれがある。
【０００５】
本発明は、上記課題を解決するため、内刃の往復直線運動を安定させることに貢献する構造を有する電気かみそりを提供することを目的とする。
【課題を解決するための手段】
【０００６】
・本発明の電気かみそりは、外刃と、この外刃に対して往復直線運動する内刃と、前記内刃および前記外刃を支持する本体と、前記内刃を往復直線運動させる駆動源と、前記駆動源の力を前記内刃に伝達する伝達部と、前記内刃を前記外刃に押し付けるばねとを有する電気かみそりにおいて、前記本体の長手方向は、前記外刃の平面視において、前記往復直線運動の方向である縦方向と一致し、前記内刃は、前記伝達部が連結される連結部を有し、前記連結部は、前記内刃のうちの前記縦方向の中間部分に位置することを特徴としている。
【０００７】
・この電気かみそりは、前記外刃の平面視において前記縦方向と直交する方向を横方向とし、前記縦方向および前記横方向と直交する方向を奥行方向として、前記伝達部は、相対的な運動が可能な状態で互いに接続される第１伝達部および第２伝達部を有し、前記第１伝達部は、前記長手方向に延びる形状を有し、前記第２伝達部は、前記奥行方向に延びる形状を有し、前記第１伝達部の入力側端部は、前記駆動源に接続され、前記第２伝達部の出力側端部は、前記連結部に接続されることが好ましい。
【０００８】
・この電気かみそりは、前記電気かみそりは、２つの前記ばねを有し、前記２つのばねは、前記第２伝達部と対向する箇所に位置することが好ましい。
・この電気かみそりは、前記連結部は、前記本体の長手方向の中心線上に位置することが好ましい。
【０００９】
・この電気かみそりは、前記連結部は、前記駆動源の回転中心線上に位置することが好ましい。
・この電気かみそりは、前記第１伝達部は、相対的な運動が可能な状態で互いに接続される伝達部Ａ１、伝達部Ａ２、および伝達部Ａ３を有し、前記伝達部Ａ１は、前記長手方向に延びる形状を有し、前記伝達部Ａ２は、前記奥行方向に延びる形状を有し、前記伝達部Ａ３は、前記長手方向に延びる形状を有し、前記第１伝達部の入力側端部としての前記伝達部Ａ１の一方の端部は、前記駆動源に接続され、前記第１伝達部の出力側端部としての前記伝達部Ａ３の一方の端部は、前記第２伝達部に接続されることが好ましい。
【発明の効果】
【００１０】
本発明は、内刃の往復直線運動を安定させることに貢献する構造を有する電気かみそりを提供することができる。
【図面の簡単な説明】
【００１１】
【図１】本発明の一実施形態の電気かみそりについて、（ａ）は装置本体からキャップが取り外された状態の斜視構造を示す斜視図、（ｂ）は装置本体にキャップが取り付けられた状態の斜視構造を示す斜視図。
【図２】同実施形態の電気かみそりについて、（ａ）はその側面構造を示す側面図、（ｂ）はその断面構造を示す断面図。
【図３】同実施形態の電気かみそりについて、装置本体の分解斜視構造を示す分解斜視図。
【図４】同実施形態の電気かみそりについて、ヘッド部の分解斜視構造を示す分解斜視図。
【図５】同実施形態の電気かみそりについて、刃ブロックの分解斜視構造を示す分解斜視図。
【図６】同実施形態の電気かみそりについて、（ａ）は外刃の正面構造を示す正面図、（ｂ）は外刃の平面構造を示す平面図、（ｃ）は（ａ）のＤＡ−ＤＡ線に沿う断面構造を示す断面図、（ｄ）は（ｂ）の領域ＲＡを拡大して示す平面図。
【図７】同実施形態の電気かみそりについて、（ａ）は外刃保持部の正面構造を示す正面図、（ｂ）は外刃保持部の平面構造を示す平面図、（ｃ）は外刃保持部を矢印ＡＣから見たときの側面構造を示す側面図、（ｄ）は外刃保持部を矢印ＡＤから見たときの側面構造を示す側面図。
【図８】同実施形態の電気かみそりについて、（ａ）は内刃の正面構造を示す正面図、（ｂ）は内刃の平面構造を示す平面図、（ｃ）は内刃のＤＢ−ＤＢ線に沿う断面構造を示す断面図。
【図９】同実施形態の電気かみそりについて、（ａ）は内刃保持部の正面構造を示す正面図、（ｂ）は内刃保持部の平面構造を示す平面図、（ｃ）は外刃保持部のＤＣ−ＤＣ線に沿う断面構造を示す断面図。
【図１０】同実施形態の電気かみそりについて、外刃が取り付けられた外刃保持部の正面構造を示す正面図。
【図１１】同実施形態の電気かみそりについて、内刃が取り付けられた内刃保持部の正面構造を示す正面図。
【図１２】同実施形態の電気かみそりについて、刃ブロックの斜視構造を示す斜視図。
【図１３】同実施形態の電気かみそりについて、（ａ）は刃ブロックの平面構造を示す平面図、（ｂ）は（ａ）のＤＤ−ＤＤ線に沿う断面構造を示す断面図、（ｃ）は（ｂ）の一部分を拡大して示す断面図。
【図１４】同実施形態の電気かみそりについて、（ａ）はヘッド部の斜視構造を示す斜視図、（ｂ）はヘッド部の平面構造を示す平面図。
【図１５】同実施形態の電気かみそりについて、（ａ）は装置本体の一部およびヘッド部の拡大断面構造を示す断面図、（ｂ）はヘッドリンクの正面構造を示す正面図。
【図１６】同実施形態の電気かみそりについて、（ａ）は図６のヘッド部から刃ブロックが省略された状態の断面構造を示す断面図、（ｂ）は同（ａ）の状態から電動モーターの出力軸が９０°回転した状態の断面構造を示す断面図、（ｃ）は同（ａ）の状態における駆動装置および変換機構のＺＡ−ＺＣ平面上の関係を模式的に示す平面図、（ｄ）は同（ｃ）の状態における駆動装置および変換機構のＺＡ−ＺＣ平面上の関係を模式的に示す平面図。
【図１７】同実施形態の電気かみそりについて、（ａ）は図７（ａ）の状態から電動モーターの出力軸が９０°回転した状態の断面構造を示す断面図、（ｂ）は同（ａ）の状態から電動モーターの出力軸が９０°回転した状態の断面構造を示す断面図、（ｃ）は同（ａ）の状態における駆動装置および変換機構のＺＡ−ＺＣ平面上の関係を模式的に示す平面図、（ｄ）は同（ｃ）の状態における駆動装置および変換機構のＺＡ−ＺＣ平面上の関係を模式的に示す平面図。
【図１８】同実施形態の電気かみそりについて、（ａ）は刃相対位置が中立位置のときの図１３（ａ）のＤＥ−ＤＥ線に沿う断面構造を模式的に示す部分断面図、（ｂ）は刃相対位置が最大押し位置のときの図１３（ａ）のＤＥ−ＤＥ線に沿う断面構造を模式的に示す部分断面図、（ｃ）刃相対位置が最大引き位置のときの図１３（ａ）のＤＥ−ＤＥ線に沿う断面構造を模式的に示す部分断面図。
【発明を実施するための形態】
【００１２】
図１を参照して、電気かみそり１の構成について説明する。
図１（ａ）に示されるように、電気かみそり１は、使用者が把持する装置本体１０と、装置本体１０のヘッド部５０に取り付けられる体毛を剃るための刃ブロック６０と、刃ブロック６０を保護するキャップ２００とを有する。なお、刃ブロック６０は、外刃９０を１つのみ有する。
【００１３】
図１（ｂ）に示されるように、キャップ２００は、装置本体１０への取り付けおよび装置本体１０からの取り外しが可能な構造を有する。また、装置本体１０に取り付けられた状態において、ヘッド部５０の全体を覆う。
【００１４】
ここで、装置本体１０についての各方向を以下のように定義する。なお、軸方向ＺＡは、「本体の長手方向」に相当する。
（Ａ）正面視において軸方向ＺＡと直交する方向を本体横方向ＺＢとする。
（Ｂ）軸方向ＺＡおよび本体横方向ＺＢに直交する方向を本体奥行方向ＺＣとする。
（Ｃ）軸方向ＺＡの本体１０からヘッド部５０に向かう方向を上方ＺＡ１とする。
（Ｄ）軸方向ＺＡのヘッド部５０から装置本体１０に向かう方向を下方ＺＡ２とする。
（Ｅ）本体奥行方向ＺＣの本体１０の正面から背面に向かう方向を後方ＺＣ２とする。
（Ｆ）本体奥行方向ＺＣの本体１０の背面から正面に向かう方向を前方ＺＣ１とする。
【００１５】
図２を参照して、装置本体１０の構成について説明する。
図２（ａ）に示されるように、装置本体１０は、軸方向ＺＡの中間部分において図１のキャップ２００の端面と接触する段差部分を有する。装置本体１０の軸方向ＺＡの長さは、ヘッド部５０の軸方向ＺＡの長さよりも大きい。
【００１６】
図２（ｂ）に示されるように、装置本体１０は、各種部品を収容するための空間を有する本体ケース１０Ａと、電気かみそり１の電源となる２次電池１７と、刃ブロック６０の内刃１００（図５参照）を駆動する駆動装置２０と、刃ブロック６０を嵌め込むためのヘッド部５０とを有する。またこの他に、駆動装置２０の電動モーター２１の回転を往復直線運動に変換してヘッド部５０に伝達する変換機構３０と、２次電池１７および駆動装置２０を電気的に接続する配線部材４０とを有する。またこの他に、装置本体１０内部への異物の侵入を抑制する防塵ゴム１６と、駆動装置２０の駆動および停止を切り替える電源スイッチ１８とを有する。
【００１７】
ヘッド部５０は、各種部品を収容するための空間を有するヘッドケース５０Ａと、ヘッドケース５０Ａの正面に固定された刃ブロック６０と、刃ブロック６０をヘッドケース５０Ａから取り外すためのロックボタン５５とを有する。またこの他に、変換機構３０から伝達される力により往復直線運動する中継部材５４と、中継部材５４から伝達される力を刃ブロック６０に伝達するヘッドリンク５３とを有する。中継部材５４およびヘッドリンク５３は、ヘッドケース５０Ａの内部に位置する。
【００１８】
図３を参照して、装置本体１０の詳細な構成について説明する。
装置本体１０は、駆動装置２０等の他に、２次電池１７と駆動装置２０との電気的な接続および遮断を切り替える接点金具１９を有する。
【００１９】
電源スイッチ１８は、使用者が操作する操作部１８Ａと、接点金具１９が取り付けられる取付部分１８Ｂと、本体ケース１０Ａの外部に位置する操作面１８Ｃと、電源スイッチ１８の操作時に使用者に対してクリック感を付与するクリック部分１８Ｄとを有する。電源スイッチ１８は、装置本体１０の正面に位置する。
【００２０】
本体ケース１０Ａは、第１ケース１１、第２ケース１２、および第３ケース１３の他に、第１ケース１１および第２ケース１２を互いに固定するための上方リング１４および下方リング１５を有する。
【００２１】
駆動装置２０は、出力軸２２を有する電動モーター２１と、出力軸２２と同軸を有する回転部材２３と、回転部材２３に対して偏心した中心線を有する偏心軸２４と、駆動装置２０の回転を変換機構３０に伝達するローラー２５とを有する。回転部材２３は、出力軸２２に固定されている。偏心軸２４は、回転部材２３に固定されている。ローラー２５は、偏心軸２４に対して回転可能、かつ偏心軸２４に対する軸方向ＺＡの移動が不能な状態で偏心軸２４により支持されている。
【００２２】
偏心軸２４の中心線は、出力軸２２の中心線の方向と平行する。また、電源スイッチ１８の操作面１８Ｃを軸方向ＺＡおよび本体横方向ＺＢに沿う仮想平面と見立てたとき、この仮想平面と平行する。
【００２３】
変換機構３０は、出力軸２２の回転を軸方向ＺＡの直線運動に変換する３つのリンク、すなわち第１リンク３１、第２リンク３２、および第３リンク３３と、第１リンク３１の回転中心としての支持軸３４とを有する。
【００２４】
第１リンク３１は、支持軸３４まわりで回転する回転軸３１Ｃと、ローラー２５を支持する入力部分３１Ｄと、入力部分３１Ｄと回転軸３１Ｃとを互いに接続する第１アーム３１Ａと、回転軸３１Ｃから第２リンク３２側に突出する第２アーム３１Ｂとを有する。入力部分３１Ｄの内周面は、ローラー２５の外周面と接触した状態でローラー２５を支持している。
【００２５】
回転軸３１Ｃ、入力部分３１Ｄ、第１アーム３１Ａ、および第２アーム３１Ｂは、同一の樹脂材料により一体の部品として形成されている。第１アーム３１Ａおよび第２アーム３１Ｂは、回転軸３１Ｃの周方向において互いに異なる方向に突出している。回転軸３１Ｃは、支持軸３４に対する回転が可能な状態で支持軸３４により支持されている。支持軸３４の中心線の方向は、偏心軸２４の中心線の方向と直交する。
【００２６】
第２リンク３２は、軸方向ＺＡおよび本体奥行方向ＺＣの平面視においてひし形を有する。第２リンク３２の入力端部３２Ａは、第２アーム３１Ｂに対する回転が可能な状態で第２アーム３１Ｂに接続されている。第２リンク３２の出力端部３２Ｂは、第３リンク３３に対する回転が可能な状態で第３リンク３３に接続されている。第３リンク３３は、図４のヘッド部５０に固定するための固定板３３Ａを有する。
【００２７】
第１ケース１１は、支持軸３４を固定するための軸固定部分１１Ａと、第３リンク３３の移動を案内する軸案内部分１１Ｂと、第３リンク３３を支持する支持部分１１Ｃとを有する。
【００２８】
配線部材４０は、２次電池１７の陽極に接続される陽極金具４１と、２次電池１７の陰極に接続される陰極金具４２と、電動モーター２１に接続されるモーター金具４３とを有する。またこの他に、対応する金具同士を電気的に接続する回路基板４５と、回路基板４５に電気的に接続される基板金具４４とを有する。回路基板４５は、電動モーター２１が短絡したときに電動モーター２１と２次電池１７との電気的な接続を遮断する電流ヒューズ４６を有する。陽極金具４１、陰極金具４２、モーター金具４３、回路基板４５、および基板金具４４は、第１ケース１１に固定されている。
【００２９】
陽極金具４１は、電動モーター２１に電気的に接続されている。陰極金具４２は、回路基板４５に電気的に接続されている。電源スイッチ１８の接点金具１９は、モーター金具４３および基板金具４４に接続されている。
【００３０】
このように配線部材４０は、２次電池１７の陽極、陽極金具４１、電動モーター２１、モーター金具４３、接点金具１９、基板金具４４、回路基板４５、陰極金具４２、および２次電池１７の陰極の順に電流が流れる電気回路を形成している。
【００３１】
図４を参照して、ヘッド部５０の詳細な構成について説明する。
ヘッド部５０は、ヘッドケース５０Ａの他に、図３の変換機構３０の第３リンク３３と接続する中継部材５４と、中継部材５４と接続するヘッドリンク５３とを有する。またこの他に、刃ブロック６０を挿入するための刃ブロック挿入穴５０Ｘと、ヘッドケース５０Ａから刃ブロック６０を取り外すためのロックボタン５５とを有する。刃ブロック挿入穴５０Ｘおよびロックボタン５５は、ヘッド部５０の正面に位置する。ロックボタン５５は、軸方向ＺＡにおいて刃ブロック６０の下方ＺＡ２に位置する。
【００３２】
ヘッドケース５０Ａは、２つのケースすなわち、第１ケース５１および第２ケース５２を有する。第１ケース５１は、第１ケース１１に挿入される挿入部分５１Ａと、ヘッドリンク５３の移動を案内するリンク案内部分５１Ｂと、中継部材５４の移動を案内する中継案内部分５１Ｃとを有する。また、第１ケース５１は、刃ブロック挿入部分５１Ｘと、刃ブロック挿入部分５１Ｘと隣り合う部分に形成される凹部５１Ｙ（図１参照）と、刃ブロック６０の取り付け方向を規制するためのリブ５１Ｌとを有する。第２ケース５２は、刃ブロック挿入部分５２Ｘと、刃ブロック挿入部分５２Ｘと隣り合う部分に形成される凹部５２Ｙとを有する。刃ブロック挿入部分５１Ｘおよび刃ブロック挿入部分５２Ｘにより、刃ブロック挿入穴５０Ｘが形成される。
【００３３】
挿入部分５１Ａは、中継部材５４の移動を軸方向ＺＡにおいて案内する案内溝５１Ｄを有する。中継案内部分５１Ｃは、隙間を介して対向する一対の壁を有する。リンク案内部分５１Ｂは、隙間を介して対向する一対の壁を有する。リンク案内部分５１Ｂの形成位置は、軸方向ＺＡの下方ＺＡ２から上方ＺＡ１に向かうにつれて本体奥行方向ＺＣの前方ＺＣ１から後方ＺＣ２に向けて傾斜している。なお、第２ケース５２は、第１ケース５１のリンク案内部分５１Ｂと対応する位置にリンク案内部分（図示略）を有する。
【００３４】
中継部材５４は、ヘッドリンク５３に接続される接続部分５４Ａと、第３リンク３３の先端部分が案内される案内部分５４Ｂと、図３の第３リンク３３の固定板３３Ａが固定される固定部分５４Ｃと、各案内溝５１Ｄに嵌め合わされる一対の突起５４Ｄとを有する。
【００３５】
ヘッドリンク５３は、中継部材５４の接続部分５４Ａに接続される中継接続部分５３Ａと、刃ブロック６０に接続される刃接続部分５３Ｂと、リンク案内部分５１Ｂ内を移動する一対の突起５３Ｃとを有する。
【００３６】
中継接続部分５３Ａは、中継部材５４に対する回転が可能な状態で接続部分５４Ａに接続されている。刃接続部分５３Ｂは、刃ブロック６０に対する回転が不能な状態で刃ブロック６０に接続されている。
【００３７】
図５を参照して、刃ブロック６０の詳細な構成について説明する。
ここで、刃ブロック６０についての各方向を以下のように定義する。なお、刃ブロック６０の平面視において、縦方向ＷＡは軸方向ＺＡに一致する。一方、軸方向ＺＡおよび本体奥行方向ＺＣの平面上において、縦方向ＷＡは軸方向ＺＡに対して所定の傾斜角を有する。
（Ａ）内刃１００の外刃９０に対する移動方向を縦方向ＷＡとする。
（Ｂ）平面視において縦方向ＷＡと直交する方向を横方向ＷＢとする。
（Ｃ）縦方向ＷＡおよび横方向ＷＢに直交する方向を奥行方向ＷＣとする。
（Ｄ）縦方向ＷＡの本体ケース側から先端側に向かう方向を押方ＷＡ１とする。
（Ｅ）縦方向ＷＡの先端側から本体ケース側に向かう方向を引方ＷＡ２とする。
（Ｆ）奥行方向ＷＣの内刃保持部の連結部から剃り面に向かう方向を表方ＷＣ１とする。
（Ｇ）奥行方向ＷＣの剃り面から内刃保持部の連結部に向かう方向を裏方ＷＣ２とする。
【００３８】
刃ブロック６０は、体毛を外刃保持部７０の内部の空間に案内する外刃９０と、外刃９０に対して往復直線運動する内刃１００とを有する。またこのほかに、外刃９０を裏方ＷＣ２から支持する外刃保持部７０と、内刃１００を裏方ＷＣ２から支持する内刃保持部８０と、内刃保持部８０を介して内刃１００を外刃９０に押し付ける２つのばね６１を有する。
【００３９】
外刃９０および外刃保持部７０は、外刃保持部７０の表面に形成される４つの外刃固定部７４Ａおよび４つのフック７４Ｂが溶融されることにより互いに固定される。また、内刃１００および内刃保持部８０は、内刃保持部８０の表面に形成される４つの内刃固定部８５、および２つのフック８６が溶融されることにより互いに固定される。図５は、各外刃固定部７４Ａ、各フック７４Ｂ、各内刃固定部８５、および各フック８６が溶融される前の状態を示している。
【００４０】
内刃１００および内刃保持部８０の組は、外刃９０および外刃保持部７０の組に対して縦方向ＷＡに移動することができる。ばね６１は、内刃１００および内刃保持部８０の組が外刃９０および外刃保持部７０に対して移動するとき、各端部が外刃保持部７０および内刃保持部８０に固定された状態を維持しながら縦方向ＷＡに変形する。
【００４１】
図６を参照して、外刃９０の詳細な構成について説明する。
外刃９０は、横方向ＷＢに延びて剃り面を形成する頂部９１と、頂部９１の横方向ＷＢの一方の端部および他方の端部からそれぞれ裏方ＷＣ２に向かって延びる２つの外刃側壁９２とを有する。また、外刃９０は、頂部９１から各外刃側壁９２にわたって形成される複数のスリット９３を有する。各スリット９３は、横方向ＷＢに平行に延びた形状を有する。隣り合うスリット９３の間には刃部９４が形成される。
【００４２】
図６（ａ）に示されるように、外刃側壁９２は、外刃側壁９２の押方ＷＡ１側の端部および引方ＷＡ２側の端部に形成される外刃保持部７０（図５参照）と固定するための２つの足部９５と、縦方向ＷＡの中間部に形成される第１位置決め部９８とを有する。各足部９５は、外刃側壁９２のうちで最も裏方ＷＣ２に突出している。各足部９５は、外刃保持部７０の外刃固定部７４Ａ（図５参照）を嵌め込むための固定部９６と、外刃保持部７０のフック７４Ｂ（図５参照）を引っ掛けるためのフック引掛部９７とを有する。なお、外刃９０は、横方向ＷＢにおいて図６（ａ）に示す外刃側壁９２とは反対側の外刃側壁９２においても上記と同様の構造を有する。
【００４３】
図６（ｂ）に示されるように、頂部９１の各刃部９４は、この刃部９４の横方向ＷＢの両端部を形成する２つの刃端部９４Ｂと、刃端部９４Ｂの一方および刃端部９４Ｂの他方の間に位置する刃中間部９４Ａとを有する。また、頂部９１のスリット９３は、横方向ＷＢの両端部を形成する２つのスリット端部９３Ｂと、スリット端部９３Ｂの一方およびスリット端部９３Ｂの他方の間に位置するスリット中間部９３Ａとを有する。
【００４４】
図６（ｃ）に示されるように、刃中間部９４Ａの刃部９４の厚さは、各刃端部９４Ｂの厚さよりも小さい。また、外刃側壁９２は、頂部９１と連続する円弧部９２Ａと、円弧部９２Ａと連続しかつ奥行方向ＷＣに沿う直線壁部９２Ｂとを有する。なお、円弧部９２Ａは外刃側壁９２および頂部９１にわたり形成されている。
【００４５】
図６（ｄ）に示されるように、刃端部９４Ｂは、刃部９４の縦方向ＷＡにおける大きさ（以下、「刃幅」）が横方向ＷＢの外側に向かうにつれて次第に小さくなる傾斜部９４Ｃと、刃幅が最も小さい直線部９４Ｄとを有する。刃中間部９４Ａの刃幅は一定である。また、直線部９４Ｄの刃幅は一定である。
【００４６】
刃中間部９４Ａの刃幅（以下、「中間刃幅ＢＡ」）は、刃中間部９４Ａと対応するスリット中間部９３Ａの縦方向ＷＡにおける大きさ（以下、「中間スリット幅ＳＡ」）よりも大きい。直線部９４Ｄの刃幅（以下、「端部刃幅ＢＤ」）は、直線部９４Ｄと対応するスリット９３端部の縦方向ＷＡにおける大きさ（以下、「端部スリット幅ＳＤ」）よりも小さい。また、端部スリット幅ＳＤは、中間スリット幅ＳＡよりも大きい。
【００４７】
図７を参照して、外刃保持部７０の詳細な構成について説明する。なお、図７は、各外刃固定部７４Ａおよび各フック７４Ｂが溶融される前の状態を示している。
外刃保持部７０は、外刃９０（図５参照）を嵌め込む枠体７１と、各ばね６１（図５参照）を固定する固定部分７３とを有する。枠体７１および固定部分７３は、同一の樹脂材料により一体の部品として形成されている。
【００４８】
図７（ａ）に示されるように、枠体７１は、外刃９０を嵌め込むための外刃挿入孔７１Ａ（図７（ｂ）参照）と、枠体７１の横方向ＷＢの両端部のそれぞれにおいて表方ＷＣ１に突出する突出部７１Ｂと、枠体７１の横方向ＷＢの両端部のそれぞれにおいて毛を各スリット９３に誘導するための誘導部７２とを有する。
【００４９】
各突出部７１Ｂは、横方向ＷＢにおいて外刃挿入孔７１Ａとは反対側の端部に平面部７１Ｃを有する。図７（ｄ）に示されるように、枠体７１の突出部７１Ｂを除く横方向ＷＢの両端部は、表方ＷＣ１側の端面が外側に向かうにつれて裏方ＷＣ２に向かうように傾斜している。
【００５０】
図７（ｂ）に示されるように、誘導部７２は、縦方向ＷＡに沿って所定間隔毎に表方ＷＣ１に突出する複数のコーム７２Ａと、基端部としての枠体７１により構成される。
図７（ａ）に示されるように、固定部分７３は、外刃９０（図５参照）を固定するための縦方向ＷＡの両端部に形成される２つの壁部７４と、各壁部７４と連続しかつ各ばね６１（図５参照）を固定するための２つの足部７５とを有する。
【００５１】
各壁部７４は、横方向ＷＢの端面かつ縦方向ＷＡの両端部付近に形成される２つの外刃固定部７４Ａと、外刃固定部７４Ａと隣り合う位置に形成されるフック７４Ｂと、横方向ＷＢの端面かつ縦方向ＷＡにおいて略中央部に形成される第２位置決め部７４Ｃとを有する。外刃固定部７４Ａおよびフック７４Ｂは、横方向ＷＢにおいて外側に向かって突出している。また、外刃固定部７４Ａおよびフック７４Ｂの間には隙間が形成されている。なお、外刃保持部７０は、横方向ＷＢにおいて図７（ａ）に示す壁部７４の端面と反対側の壁部７４の端面においても上記と同様の構造を有する。
【００５２】
各足部７５は、各ばね６１（図５参照）の一方を固定するばね固定部７５Ａを有する。また、図７（ｄ）に示されるように、押方ＷＡ１側の足部７５は、刃ブロック６０をヘッド部５０に対して正規の方向で取り付けるための溝７５Ｂを有する。また、図７（ｃ）に示されるように、引方ＷＡ２側の足部７５は、溝７５Ｂを有しない。溝７５Ｂは、ヘッド部５０のリブ５１Ｌ（図４参照）と対応する。
【００５３】
図７（ｂ）に示されるように、押方ＷＡ１側の外刃固定部７４Ａは、押方ＷＡ１側のばね固定部７５Ａよりも押方ＷＡ１側かつ裏方ＷＣ２側に形成される。また、引方ＷＡ２側の外刃固定部７４Ａは、引方ＷＡ２側のばね固定部７５Ａよりも引方ＷＡ２側かつ裏方ＷＣ２側に形成される。
【００５４】
図７（ｃ）および図７（ｄ）に示されるように、各壁部７４は、外刃保持部７０の内部の毛を外刃保持部７０の外部に排出するための第１排出孔７６を有する。各第１排出孔７６は、縦方向ＷＡに沿って壁部７４を貫通する。
【００５５】
図７（ｂ）に示されるように、各足部７５は、外刃保持部７０の内部の毛を外刃保持部７０の外部に排出するための第２排出孔７７を有する。各第２排出孔７７は、奥行方向ＷＣに沿って足部７５を貫通する。また、各外刃固定部７４Ａ（図７（ａ）参照）と対応する部分にばね６１（図５参照）が移動するためのばね移動空間７８が形成される。各ばね移動空間７８および各第１排出孔７６は連続して１つの縦方向に沿う孔を形成する。
【００５６】
図８を参照して、内刃１００の詳細な構成について説明する。
内刃１００は、横方向ＷＢに延び外刃９０（図５参照）と接触する頂部１０１と、頂部１０１の横方向ＷＢの端部から裏方ＷＣ２に延びる２つの内刃側壁１０２とを有する。また、内刃１００は、頂部１０１から各内刃側壁１０２にわたって形成される複数のスリット１０３を有する。各スリット１０３は、横方向ＷＢに対して傾斜して延びた形状を有する。隣り合うスリット１０３の間および押方ＷＡ１の端部および引方ＷＡ２の端部には刃部１０４が形成される。
【００５７】
図８（ａ）に示されるように、各内刃側壁１０２は、内刃保持部８０（図５参照）と接続するための２つの足部１０５を有する。各足部１０５は、内刃側壁１０２のうちで最も裏方ＷＣ２に突出している。各足部１０５は、内刃保持部８０の内刃固定部８５を嵌め込むための固定部１０６と、内刃保持部８０のフック８６を引っ掛けるためのフック引掛部１０７とを有する。なお、内刃１００は、横方向ＷＢにおいて図８（ａ）に示す内刃側壁１０２と反対側の内刃側壁１０２においても上記と同様の構造を有する。
【００５８】
図８（ｂ）に示されるように、平面視において各スリット１０３の縦方向ＷＡにおける大きさは一定である。また、平面視において刃部１０４の縦方向ＷＡにおける大きさは一定である。
【００５９】
図９を参照して、内刃保持部８０の詳細な構成について説明する。なお、図９は、各内刃固定部８５、および各フック８６が溶融される前の状態を示している。
内刃保持部８０は、内刃１００（図５参照）に嵌め込まれる支持体８１と、ヘッドリンク５３の刃接続部分５３Ｂ（図４参照）に連結される連結部８２と、各ばね６１（図５参照）を固定する２つのばね固定部８３と、内刃１００（図５参照）を固定する足部８４とを有する。また、このほかに、外刃９０（図５参照）の内側に接触する移動規制部８７を有する。なお、内刃保持部８０は、同一の樹脂材料により一体の部品として形成されている。
【００６０】
図９（ｂ）に示されるように、連結部８２は、縦方向ＷＡにおいて内刃保持部８０の略中央部分に形成される。図９（ｃ）に示されるように、連結部８２は、ヘッドリンク５３の刃接続部分５３Ｂ（図４参照）を嵌め込むための穴を有する。
【００６１】
図９（ａ）に示されるように、各足部８４は、横方向ＷＢの端面に形成される内刃固定部８５と、内刃固定部８５と隣り合う位置に形成されるフック８６とを有する。内刃固定部８５およびフック８６の間には隙間が形成されている。また、図９（ｂ）に示されるように、各内刃固定部８５、各フック８６、および各移動規制部８７は、横方向ＷＢにおいて外側に向かって突出している。なお、内刃保持部８０は、横方向ＷＢにおいて図９（ａ）に示す端面と反対側の端面においても上記と同様の構造を有する。
【００６２】
図１０を参照して、外刃９０と外刃保持部７０との接続構成について説明する。なお、図１０（ａ）は、各外刃固定部７４Ａおよび各フック７４Ｂが溶融される前の状態を示している。
【００６３】
図１０（ａ）に示されるように、外刃９０の縦方向ＷＡにおける大きさは、外刃保持部７０の縦方向ＷＡの大きさよりも小さい。外刃９０および外刃保持部７０は、それぞれの縦方向ＷＡにおける中央を合わせた状態で固定される。
【００６４】
外刃９０は、各第１位置決め部９８に各第２位置決め部７４Ｃを嵌めこんだ状態で外刃保持部７０の外刃挿入孔７１Ａに挿入される。また、各外刃固定部７４Ａは、各固定部９６に挿入される。各フック７４Ｂは、各フック引掛部９７に挿入される。このとき、各刃部９４と誘導部７２の各コーム７２Ａが対応した位置に配置される。
【００６５】
第１位置決め部９８と第２位置決め部７４Ｃとのクリアランスよりも、溶融前の各外刃固定部７４Ａと各固定部９６とのクリアランスが大きい。また、第１位置決め部９８と第２位置決め部７４Ｃとのクリアランスよりも、溶融前のフック７４Ｂとフック引掛部９７とのクリアランスが大きい。これにより、外刃９０と外刃保持部７０とは第１位置決め部９８および第２位置決め部７４Ｃにより位置決めされる。
【００６６】
図１０（ｂ）に示されるように、図１０（ａ）の状態を設定した後、外刃固定部７４Ａおよびフック７４Ｂは溶融される。これにより、外刃９０と外刃保持部７０とが互いに固定される。また、外刃固定部７４Ａとフック７４Ｂとが連続する。
【００６７】
図１１を参照して、内刃１００と内刃保持部８０との接続構成について説明する。なお、図１１（ａ）は、各内刃固定部８５および各フック８６が溶融される前の状態を示している。
【００６８】
図１１（ａ）に示されるように、内刃１００の縦方向ＷＡの大きさは、内刃保持部８０の縦方向ＷＡの大きさと略等しい。内刃１００および内刃保持部８０は、それぞれの縦方向ＷＡにおける中央を合わせた状態で固定される。
【００６９】
図１１（ａ）に示されるように、内刃１００は、支持体８１に嵌め込まれる。また、各内刃固定部８５は、各固定部１０６に挿入される。各フック８６は、各フック引掛部１０７に挿入される。
【００７０】
図１１（ｂ）に示されるように、図１１（ａ）の状態を設定した後、各内刃固定部８５および各フック８６は溶融される。これにより、内刃１００と内刃保持部８０とが互いに固定される。また、内刃固定部８５とフック８６とが連続する。
【００７１】
図１２および図１３を参照して、刃ブロック６０の各部材の関係について説明する。
内刃１００は、電動モーター２１（図２参照）の回転にともない外刃９０に対して縦方向ＷＡに移動する。外刃９０に対する内刃１００の位置（以下、「刃相対位置」）は、押方ＷＡ１の限界位置である「最大押し位置」から引方ＷＡ２の限界位置である「最大引き位置」までの範囲で変化する。なお、図１２および図１３は、刃相対位置が最大押し位置および最大引き位置の中立の位置である「中立位置」にあるときを示している。
【００７２】
図１２に示されるように、内刃１００および内刃保持部８０の組は、外刃９０および外刃保持部７０の内部に挿入される。内刃保持部８０のばね固定部８３は、各ばね６１の表方ＷＣ１の端部に挿入される。
【００７３】
また、外刃保持部７０のばね固定部７５Ａは、各ばね６１の裏方ＷＣ２の端部に挿入される。これにより、外刃保持部７０および内刃保持部８０は、各ばね６１を介して互いに接続される。
【００７４】
各ばね６１は、圧縮変形した状態で外刃保持部７０と内刃保持部８０との間に位置する。各ばね６１の復元力は、内刃１００を外刃９０に向けて押す方向に作用する。このため、内刃１００の表方ＷＣ１側の面は外刃９０の裏方ＷＣ２側の面に接触している。
【００７５】
図１３（ａ）に示されるように、刃相対位置が中立位置のとき、平面視において外刃９０の全ての刃部９４は、内刃１００の刃部１０４の少なくとも一部と重なり合う。また、内刃１００の横方向ＷＢの一方の端部から他方の端部まで、すなわち頂部１０１が刃中間部９４Ａと重なり合う。
【００７６】
図１３（ｂ）に示されるように、各外刃側壁９２と各内刃側壁１０２とは隙間を介して対向する。また、内刃保持部８０の各移動規制部８７は、外刃側壁９２の内側の壁面と接触する。
【００７７】
図１３（ａ）に示されるように、各誘導部７２の各コーム７２Ａは、外刃９０の全ての刃部９４に対応する。また、図１３（ｃ）に示されるように、各コーム７２Ａの表方ＷＣ１の先端部分は、各外刃側壁９２の各円弧部９２Ａおよび各直線壁部９２Ｂの境界よりも直線壁部９２Ｂ側に配置される。すなわち、コーム７２Ａの先端部分は、直線壁部９２Ｂと隣り合う。また、図１３（ａ）に示されるように、各突出部７１Ｂは、横方向ＷＢにおいて外刃９０を挟んで対向する位置に配置される。
【００７８】
図１４を参照して、ヘッド部５０および刃ブロック６０の関係について説明する。
ヘッド部５０の刃ブロック挿入穴５０Ｘに刃ブロック６０が嵌め込まれているとき、各突出部７１Ｂと対応する位置に第１ケース５１の凹部５１Ｙおよび第２ケース５２の凹部５２Ｙがそれぞれ配置される。これにより、各突出部７１Ｂは、横方向ＷＢにおいて凹部５１Ｙ，５２Ｙよりも外側に突出する。各突出部７１Ｂおよび凹部５１Ｙ，５２Ｙにより、ユーザーが刃ブロック６０をつまむための指当構造が構成される。
【００７９】
図１５を参照して、電気かみそり１の各構成部品の関係について説明する。
（Ａ）ローラー２５は、第１リンク３１の入力部分３１Ｄに接続されている。
（Ｂ）第１リンク３１の第２アーム３１Ｂは、第２リンク３２に接続されている。
（Ｃ）第２リンク３２の出力側端部は、第３リンク３３に接続されている。
（Ｄ）第３リンク３３の固定板３３Ａは、中継部材５４に接続されている。
（Ｅ）中継部材５４の接続部分５４Ａは、ヘッドリンク５３に接続されている。
（Ｆ）ヘッドリンク５３の刃接続部分５３Ｂは、連結部８２に接続されている。
（Ｇ）刃接続部分５３Ｂは、装置本体１０の中心線Ｃ１上に配置される。
（Ｈ）刃接続部分５３Ｂは、モーター２１の回転中心線Ｃ２上に配置される。
（Ｉ）装置本体１０の中心線Ｃ１およびモーター２１の回転中心線Ｃ２は一致する。
【００８０】
図１５（ａ）に示されるように、電気かみそり１は、上記の接続関係を有することにより、電動モーター２１の出力軸２２の回転を変換機構３０により往復直線運動に変換した後、変換機構３０の往復直線運動を中継部材５４およびヘッドリンク５３を介して刃ブロック６０に伝達する。
【００８１】
図１５（ｂ）に示されるように、ヘッドリンク５３は、軸方向ＺＡに沿う第１部分５３Ｘと、第１部分５３Ｘの上方ＺＡ１の端部から前方ＺＣ１および表方ＷＣ１に向かい、かつ刃接続部分５３Ｂおよび突起５３Ｃを含む第２部分５３Ｙと、第１部分５３Ｘの下方ＺＡ２の端部から前方ＺＣ１および表方ＷＣ１に向かう第３部分５３Ｚとを有する。また、中継接続部分５３Ａに接続される中継部材５４は、軸方向ＺＡに沿う形状をしている。なお、ヘッドリンク５３および中継部材５４は、「伝達部」に相当する。第１部分５３Ｘ、第３部分５３Ｚ、および中継部材５４は、「第１伝達部」に相当する。第２部分５３Ｙは、「第２伝達部」に相当する。第１部分５３Ｘは、「伝達部Ａ１」に相当する。第３部分５３Ｚは、「伝達部Ａ２」に相当する。中継部材５４は、「伝達部Ａ３」に相当する。
【００８２】
図１６および図１７を参照して、電気かみそり１の動作について説明する。なお、図１６および図１７は、刃ブロック６０の構成、および刃ブロック６０に関連する第１ケース５１の内面の構成を簡略化したヘッド部５０の断面構造を示している。
【００８３】
図１６（ａ）は、刃相対位置が最大押し位置のときのヘッド部５０の動作状態を示している。また、図１６（ｃ）は、この動作状態に対応するローラー２５および第１リンク３１の動作状態を示している。
【００８４】
図１７（ａ）は、刃相対位置が最大引き位置のときのヘッド部５０の動作状態を示している。また、図１７（ｃ）は、この動作状態に対応するローラー２５および第１リンク３１の動作状態を示している。
【００８５】
図１６（ｂ）および図１７（ｂ）は、刃相対位置が中立位置のときのヘッド部５０の動作状態を示している。また、図１６（ｄ）および図１７（ｄ）は、この動作状態に対応するローラー２５および第１リンク３１の動作状態を示している。
【００８６】
変換機構３０およびヘッド部５０の詳細な動作について説明する。以下では、軸方向ＺＡおよび本体奥行方向ＺＣの平面における所定軸まわりの回転方向Ｒについて、時計回りの回転方向を「正転方向Ｒ１」とし、反時計回りの回転方向を「反転方向Ｒ２」とする。
【００８７】
（１）「図１６（ａ）の状態から図１６（ｃ）の状態までの変化」
変換機構３０およびヘッド部５０の各部品は、電動モーター２１の出力軸２２が図１６（ｂ）の回転位置から図１６（ｄ）の回転位置まで回転するとき、図１６（ａ）の状態から図１６（ｃ）の状態まで動作する。このときの各部品の具体的な動作を以下に示す。
【００８８】
ローラー２５は、出力軸２２とともに回転する。これにより、入力部分３１Ｄに対して本体横方向ＺＢに移動する。このため、入力部分３１Ｄは、本体奥行方向ＺＣに作用する力をローラー２５から受け、かつ本体横方向ＺＢに作用する力をローラー２５から受けない。
【００８９】
このため、変換機構３０の各部品の状態は、図１６（ａ）の状態から図１６（ｃ）の状態に変化する。すなわち、入力部分３１Ｄおよび第１アーム３１Ａは、軸方向ＺＡおよび本体奥行方向ＺＣの平面視において、回転軸３１Ｃを支持軸３４まわりで反転方向Ｒ２に回転させる。第２アーム３１Ｂは、軸方向ＺＡおよび本体奥行方向ＺＣの平面視において、回転軸３１Ｃの回転にともない支持軸３４まわりで反転方向Ｒ２に回転する。
【００９０】
第２リンク３２の入力端部３２Ａは、第２アーム３１Ｂの回転にともない第２アーム３１Ｂに対して回転しながら第２アーム３１Ｂにより下方ＺＡ２に引き寄せられる。このため、第２リンク３２は、全体として第２アーム３１Ｂにより回転軸３１Ｃ側に引き寄せられる。すなわち、本体ケース１０Ａに対して下方ＺＡ２に移動する。
【００９１】
第３リンク３３は、第２リンク３２の下方ＺＡ２への移動にともない本体ケース１０Ａに対して下方ＺＡ２に移動する。すなわち、軸方向ＺＡにおいてヘッド部５０から離れる方向に移動する。
【００９２】
中継部材５４は、第３リンク３３の下方ＺＡ２への移動にともないヘッドケース５０Ａに対して下方ＺＡ２に移動する。すなわち、軸方向ＺＡにおいてヘッド部５０側から装置本体１０側に移動する。
【００９３】
ヘッドリンク５３は、中継部材５４の下方ＺＡ２への移動にともない中継部材５４により装置本体１０側に引き寄せられる。このとき、図４のヘッドリンク５３の突起５３Ｃは、リンク案内部分５１Ｂとの接触により縦方向ＷＡの引方ＷＡ２に移動する。このため、ヘッドリンク５３の刃接続部分５３Ｂも引方ＷＡ２に移動する。
【００９４】
内刃１００は、刃接続部分５３Ｂの引方ＷＡ２への移動にともないヘッドケース５０Ａおよび外刃９０に対して引方ＷＡ２に移動する。すなわち、電動モーター２１が図１６（ｂ）の回転位置から図１６（ｄ）の回転位置まで回転するとき、刃相対位置が図１６（ａ）の位置から図１６（ｃ）の位置まで変化する。
【００９５】
（２）「図１６（ｃ）の状態から図１７（ａ）の状態までの変化」
変換機構３０およびヘッド部５０の各部品は、電動モーター２１の出力軸２２が図１６（ｄ）の回転位置から図１７（ｂ）の回転位置まで回転するとき、図１６（ｃ）の状態から図１７（ａ）の状態まで動作する。このときの各部品は、図１６（ａ）の状態から図１６（ｃ）の状態まで動作するときと同様に動作する。
【００９６】
内刃１００は、刃接続部分５３Ｂの引方ＷＡ２への移動にともないヘッドケース５０Ａおよび外刃９０に対して引方ＷＡ２に移動する。すなわち、刃相対位置が図７（ｃ）の位置から図１７（ａ）の最大引き位置まで変化する。
【００９７】
（３）「図１７（ａ）の状態から図１７（ｃ）の状態までの変化」
変換機構３０およびヘッド部５０の各部品は、電動モーター２１の出力軸２２が図１７（ｂ）の回転位置から図１７（ｄ）の回転位置まで回転するとき、図１７（ａ）の状態から図１７（ｃ）の状態まで動作する。このときの各部品の具体的な動作を以下に示す。
【００９８】
ローラー２５は、出力軸２２とともに回転することにより、入力部分３１Ｄに対して本体横方向ＺＢに移動する。このため、変換機構３０の各部品の状態は、図１７（ａ）の状態から図１７（ｃ）の状態に変化する。すなわち、入力部分３１Ｄおよび第１アーム３１Ａは、軸方向ＺＡおよび本体奥行方向ＺＣの平面視において、回転軸３１Ｃを支持軸３４まわりで正転方向Ｒ１に回転させる。第２アーム３１Ｂは、軸方向ＺＡおよび本体奥行方向ＺＣの平面視において、回転軸３１Ｃの回転にともない支持軸３４まわりで正転方向Ｒ１に回転する。
【００９９】
第２リンク３２の入力端部３２Ａは、第２アーム３１Ｂの回転にともない第２アーム３１Ｂに対して回転しながら第２アーム３１Ｂにより上方ＺＡ１に押し出される。このため、第２リンク３２は、全体として第２アーム３１Ｂによりヘッド部５０側に押し出される。すなわち、本体ケース１０Ａに対して上方ＺＡ１に移動する。
【０１００】
第３リンク３３は、第２リンク３２の上方ＺＡ１への移動にともない本体ケース１０Ａに対して上方ＺＡ１に移動する。すなわち、軸方向ＺＡにおいてヘッド部５０に近づく方向に移動する。
【０１０１】
中継部材５４は、第３リンク３３の上方ＺＡ１への移動にともないヘッドケース５０Ａに対して上方ＺＡ１に移動する。すなわち、軸方向ＺＡにおいて装置本体１０側からヘッド部５０側に移動する。
【０１０２】
ヘッドリンク５３は、中継部材５４の上方ＺＡ１への移動にともない中継部材５４によりヘッド部５０側に押し出される。このとき、図４のヘッドリンク５３の突起５３Ｃは、リンク案内部分５１Ｂとの接触により縦方向ＷＡの押方ＷＡ１に移動する。このため、ヘッドリンク５３の刃接続部分５３Ｂも押方ＷＡ１に移動する。
【０１０３】
内刃１００は、刃接続部分５３Ｂの押方ＷＡ１への移動にともないヘッドケース５０Ａおよび外刃９０に対して押方ＷＡ１に移動する。すなわち、電動モーター２１が図１７（ｂ）の回転位置から図１７（ｄ）の回転位置まで回転するとき、刃相対位置が図１７（ａ）の位置から図１７（ｃ）の位置まで変化する。
【０１０４】
（４）「図１７（ｃ）の状態から図１６（ａ）の状態までの変化」
変換機構３０およびヘッド部５０の各部品は、電動モーター２１の出力軸２２が図１７（ｄ）の回転位置から図１６（ｂ）の回転位置まで回転するとき、図１７（ｃ）の状態から図１６（ａ）の状態まで動作する。このときの各部品は、図１７（ａ）の状態から図１７（ｃ）の状態まで動作するときと同様に動作する。
【０１０５】
内刃１００は、刃接続部分５３Ｂの押方ＷＡ１への移動にともないヘッドケース５０Ａおよび外刃９０に対して押方ＷＡ１に移動する。すなわち、刃相対位置が図１７（ｃ）の位置から図１６（ａ）の最大押し位置まで変化する。
【０１０６】
図１８を参照して、刃相対位置の変化にともなうばね６１および外刃保持部７０の関係について説明する。なお、図１８は、刃ブロック６０から外刃９０および内刃１００を省略している。
【０１０７】
各ばね６１は、刃相対位置の変化にともない、外刃保持部７０の各ばね移動空間７８の内部を移動する。
刃相対位置が最大押し位置にあるとき、押方ＷＡ１側のばね６１の表方ＷＣ１側の端部、すなわち内刃保持部８０のばね固定部８３は、押方ＷＡ１側の外刃固定部７４Ａよりも押方ＷＡ１側に位置する。このとき、正面視において押方ＷＡ１側のばね６１の中間部分は、押方ＷＡ１側の外刃固定部７４Ａと重なる。また、引方ＷＡ２側のばね６１の表方ＷＣ１の端部は、ばね移動空間７８から出る。なお、このとき内刃保持部８０うちの押方ＷＡ１側の足部８４の裏方ＷＣ２側の下端部分がばね移動空間７８に入り込む。また、内刃保持部８０の支持体８１の押方ＷＡ１側の端部が枠体７１に当たる。
【０１０８】
刃相対位置が最大引き位置にあるとき、引方ＷＡ２側のばね６１の表方ＷＣ１側の端部、すなわち内刃保持部８０のばね固定部８３は、引方ＷＡ２側の外刃固定部７４Ａよりも引方ＷＡ２側に位置する。このとき、正面視において引方ＷＡ２側のばね６１の中間部分は、引方ＷＡ２側の外刃固定部７４Ａと重なる。また、押方ＷＡ１側のばね６１の表方ＷＣ１の端部は、ばね移動空間７８から出る。なお、このとき内刃保持部８０うちの引方ＷＡ２側の足部８４の裏方ＷＣ２側の下端部分がばね移動空間７８に入り込む。また、内刃保持部８０の支持体８１の引方ＷＡ２側の端部が枠体７１に当たる。
【０１０９】
図１４を参照して、ユーザーによる刃ブロック６０の取り外し手順について説明する。
（Ｘ１）ロックボタン５５を下方ＺＡ２に押し下げる。
（Ｘ２）一方の突出部７１Ｂの平面部７１Ｃに親指の腹を当てる。
（Ｘ３）他方の突出部７１Ｂの平面部７１Ｃに人差し指の腹を当てる。
（Ｘ４）刃ブロック６０を表方ＷＣ１に摘み上げる。
【０１１０】
ユーザーによる刃ブロック６０の取り付け手順について説明する。なお、以下では、ヘッド部５０の下方ＺＡ２側の端部と、刃ブロック６０の突出部７１Ｂを有する端部とが対応する関係を「正規の方向」とする。
（Ｙ１）刃ブロック６０を正規の方向に配置する。
（Ｙ２）刃ブロック６０を挿入穴５０Ｘに挿入する。
（Ｙ３）ロックボタン５５を上方ＺＡ１に押し上げる。
【０１１１】
（実施形態の効果）
本発明の電気かみそり１は、以下の効果を奏する。
（１）ヘッドリンク５３の刃接続部分５３Ｂが、内刃１００の縦方向ＷＡにおいて引方ＷＡ２の端部と接続する構成によれば、内刃１００が引方ＷＡ２に偏りやすくなるため、往復直線運動および切れ味が不安定になる。また、ヘッドリンク５３の刃接続部分５３Ｂが、内刃１００の縦方向ＷＡにおいて押方ＷＡ１の端部と接続する構成によれば、内刃１００が外刃９０に対して過度に押し付けられやすいため、往復直線運動が不安定になる。電気かみそり１は、ヘッドリンク５３の刃接続部分５３Ｂと内刃１００の縦方向ＷＡにおいて中央の連結部８２とを接続する。この構成によれば、刃接続部分５３Ｂと内刃１００の縦方向ＷＡにおいて端部とを接続する構成と比較して、内刃１００の駆動が安定する。また、内刃１００が引方ＷＡ２に偏ることを抑制することができるため、切れ味が安定する。これにより、内刃１００の往復直線運動を安定させることができる。
【０１１２】
（２）電気かみそり１は、縦方向ＷＡおよび軸方向ＺＡが一致する。この構成によれば、電気かみそり１の本体横方向ＺＢの寸法を小さくすることができる。このため、電気かみそり１の携帯性および利便性が向上する。
【０１１３】
（３）電気かみそり１は、軸方向ＺＡに延びる形状を有する第１部分５３Ｘを含む第１伝達部と、奥行方向ＷＣに延びる形状を有する第２伝達部としての第２部分５３Ｙを有する。第１伝達部の入力端部である中継部材５４は、変換機構３０を介して電動モーター２１に接続される。また、第２部分５３Ｙの出力側端部である刃接続部分５３Ｂは、連結部８２に接続される。この構成によれば、第２伝達部が縦方向ＷＡに対して直交する奥行方向ＷＣ、すなわち接続方向と略直交向から連結部８２に連結するため、刃接続部分５３Ｂと連結部８２との連結が外れにくい。
【０１１４】
（４）ばね６１は、第２部分５３Ｙと対向する位置に各ばね６１を有する。この構成によれば、刃相対位置が最大押し位置および最大引き位置にあるときであっても各ばね６１による内刃１００の押し付け力が安定する。
【０１１５】
（５）連結部８２は、装置本体１０の中心線Ｃ１上に位置する。この構成によれば、電気かみそり１の本体横方向ＺＢの大きさを小さくすることができる。
（６）連結部８２は、電動モーター２１の回転中心線Ｃ２上に位置する。この構成によれば、電動モーター２１と内刃１００との距離を小さくすることができるため、駆動効率を向上できる。
【０１１６】
（７）一般にスリット刃は、ネット刃に比較して強度が小さいため、外刃としてスリット刃のみを有する場合、外刃としてネット刃およびスリット刃を有する場合と比較して、外刃の強度を大きくすることが好ましい。
【０１１７】
電気かみそり１は、外刃９０として１つのスリット刃のみを有する。この外刃９０は、中間スリット幅ＳＡが中間刃幅ＢＡよりも小さい。この構成によれば、中間スリット幅ＳＡが中間刃幅ＢＡよりも大きい構成と比較して外刃９０の強度が高くなる。このため、外刃９０としてのスリット刃が変形しにくい。
【０１１８】
（８）電気かみそり１の端部スリット幅ＳＤは、中間スリット幅ＳＡよりも大きい。この構成によれば、毛を外刃９０の内部に導入する部分であるスリット端部９３Ｂのスリット幅が大きいため、外刃９０の内部に毛を効率よく導くことができる。
【０１１９】
（９）電気かみそり１の端部スリット幅ＳＤは、端部刃幅ＢＤよりも大きい。この構成によれば、端部スリット幅ＳＤが端部刃幅ＢＤよりも小さい構成と比較して、外刃９０の内部に毛を効率よく導くことができる。
【０１２０】
（１０）電気かみそり１の内刃１００は、頂部１０１の全体が刃中間部９４Ａに対応して配置される。この構成によれば、内刃１００により刃中間部９４Ａが支持されるため、外刃９０が変形しにくくなる。
【０１２１】
（１１）刃中間部９４Ａの厚さは、刃端部９４Ｂの厚さよりも小さい。この構成によれば、刃中間部９４Ａにおいて内刃１００が毛の根元により近い箇所に位置する。このため、毛を深く刈ることができる。
【０１２２】
（１２）電気かみそり１の全ての刃部９４は、中立位置において内刃１００の刃部１０４と重なり合う。この構成によれば、全ての外刃９０の刃部９４が内刃１００により支持されるため、外刃９０が変形しにくくなる。
【０１２３】
（１３）電気かみそり１の刃部９４は、傾斜部９４Ｃおよび直線部９４Ｄを有する。傾斜部９４Ｃの刃幅は、横方向ＷＢの外側に向かうにつれて次第に小さくなる。直線部９４Ｄの刃幅は、横方向ＷＢにおいて一定の大きさを有する。この構成によれば、刃部９４の刃幅が段階的に小さくなる構成と比較して、刃部９４が肌に引っ掛かかりにくい。
【０１２４】
（１４）電気かみそり１は、横方向ＷＢにおいて外刃９０と隣り合う部分に指を当てる突出部７１Ｂを有する。この構成によれば、突出部７１Ｂに指を当てて刃ブロック６０を本体から取り外すとき、突出部７１Ｂが外刃９０の縦方向ＷＡの延長上にないために指が外刃９０に接触するおそれをユーザーが抱くことを低減できる。すなわち、ユーザーが安心して刃ブロック６０を本体から取り外すことができる。
【０１２５】
（１５）電気かみそり１は、突出部７１Ｂのうちの外刃９０とは反対側の端部に平面部７１Ｃを有する。この構成によれば、ユーザーが突出部７１Ｂを安定してつまみやすい。
（１６）電気かみそり１は、突出部７１Ｂと対応する本体の部分に凹部を有する。この構成によれば、突出部７１Ｂの突出量が相対的に大きくなる。すなわち、ユーザーが突出部７１Ｂに指をかけやすくなる。また、突出部７１Ｂの突出量を大きくする場合と比較して、突出部７１Ｂが肌に当たることにより剃るときの邪魔になることを抑制することができる。
【０１２６】
（１７）電気かみそり１は、外刃９０を挟んで対向する２つの突出部７１Ｂを有する。この構成によれば、ユーザーは各突出部７１Ｂを摘んで刃ブロック６０を簡便に取り外すことができる。
【０１２７】
（１８）外刃９０は、平面視における全周が外刃保持部７０の枠体７１に嵌め込まれる。この構成によれば、外刃９０の全周が外刃保持部７０により保持されるため、刃ブロック６０の強度を向上できる。また、本体１０から取り外した刃ブロック６０の外刃９０の露出面が少なくなるため、ユーザーが安心して刃ブロック６０を取り扱える。
【０１２８】
（１９）電気かみそり１は、刃ブロック６０をヘッド部５０に対して正規の方向でのみ取り付け可能な規制構造として、リブ５１Ｌおよび溝７５Ｂを有する。この構成によれば、刃ブロック６０をヘッド部５０に組み付けるとき突出部７１Ｂが押方ＷＡ１側の端部に配置されない。このため、突出部７１Ｂが肌に当たることにより毛を剃るときの邪魔になることを抑制することができる。また、規制構造としてリブ５１Ｌおよび溝７５Ｂを有するため、刃ブロック６０がヘッド部５０から外れにくい。また、刃ブロック６０がヘッド部５０に対してしっかり取り付けられたかを確認しやすい。
【０１２９】
（２０）外刃９０は、平面視における全周が外刃保持部７０の枠体７１に嵌め込まれる。この構成によれば、外刃９０の全周が外刃保持部７０により保持されるため、刃ブロック６０の強度を向上できる。また、本体から取り外した刃ブロック６０の外刃９０の露出面が少なくなるため、ユーザーが安心して刃ブロック６０を取り扱える。
【０１３０】
（２１）外刃９０および外刃保持部７０の内部に導入されて刈られた毛は、往復直線運動にともなって外刃保持部７０の縦方向ＷＡの端部に寄せられる。電気かみそり１は、外刃保持部７０の各壁部７４において縦方向ＷＡにおいて外刃保持部７０を貫通する第１排出孔７６を有する。この構成によれば、外刃保持部７０の縦方向ＷＡの両端部に寄せられる毛を、連通孔により効率的に外刃保持部７０の外部に排出できるため、毛の排出効率が向上する。
【０１３１】
（２２）電気かみそり１は、外刃側壁９２と内刃側壁１０２とは隙間を介して対向する。この構成によれば、外刃９０の内部に導入された毛を、外刃側壁９２と内刃側壁１０２との間の隙間に移動させることができる。このため、外刃９０と内刃１００との間にたまった毛が往復直線運動を妨げることを抑制することができる。
【０１３２】
（２３）内刃保持部８０は、外刃側壁９２に接触する移動規制部８７を有する。この構成によれば、内刃１００が外刃９０に対して横方向ＷＢに移動することを抑制することができる。また、移動規制部８７の外刃側壁９２との接触面積が小さいため、内刃１００が外刃９０に対して縦方向ＷＡに移動するときの接触抵抗を小さくすることができる。
【０１３３】
（２４）各壁部７４は、外刃９０と接触して外刃９０を固定する２つの外刃固定部７４Ａと、内刃１００の往復直線運動にともないばね６１が進入するばね移動空間７８とを有する。押方ＷＡ１側の壁部７４のばね移動空間７８は、縦方向ＷＡにおいて外刃固定部７４Ａよりも押方ＷＡ１側の部分まで押方ＷＡ１側のばね６１が進入することが可能な大きさを有する。引方ＷＡ２側の壁部７４のばね移動空間７８は、縦方向ＷＡにおいて外刃固定部７４Ａよりも引方ＷＡ２側の部分まで引方ＷＡ２側のばね６１が進入することが可能な大きさを有する。この構成によれば、外刃保持部７０の縦方向ＷＡの大きさを小さくすることができる。
【０１３４】
（２５）外刃保持部７０は、各外刃固定部７４Ａと隣り合う部分において外刃９０の各フック引掛部９７に引っ掛けられる各フック７４Ｂを有する。この構成によれば、外刃９０と外刃保持部７０との接続が強くなる。また、各フック７４Ｂを外刃固定部７４Ａと隣り合う部分に形成しているため、フック７４Ｂを外刃固定部７４Ａから離れた部分に形成する場合と比較して、フック７４Ｂを形成するスペースを小さくすることができる。これにより、外刃保持部７０および外刃９０の大きさを小さくすることができる。
【０１３５】
（２６）内刃保持部の足部８４の下端部分は、外刃保持部７０のばね固定部８３よりも表方ＷＣ１側に形成される。この構成によれば、内刃保持部８０がばね移動空間７８の内部に位置することができる。これにより、刃ブロック６０の奥行方向ＷＣの大きさを小さくすることができる。
【０１３６】
（２７）電気かみそりは、外刃９０の横方向ＷＢの両端部において縦方向ＷＡに沿う複数のコーム７２Ａを有する。この構成によれば、各コーム７２Ａが毛を各スリット９３に誘導するため、毛をスリット９３に効率よく誘導することができる。
【０１３７】
（２８）誘導部７２は、複数の刃部９４の全部における横方向ＷＢの両端部にコーム７２Ａを有する。この構成によれば、電気かみそり１は、毛を全てのスリット９３に効率よく誘導することができる。
【０１３８】
（２９）コーム７２Ａの先端部分は、奥行方向ＷＣにおいて円弧部９２Ａと直線壁部９２Ｂと隣り合う箇所に位置する。この構成によれば、コーム７２Ａの突出量が小さいため、コーム７２Ａの先端部分が肌に食い込む量を小さくすることができる。これにより、ユーザーがコーム７２Ａの接触により感じる違和感を低減できる。
【０１３９】
（３０）誘導部７２は、奥行方向ＷＣにおいて、裏方ＷＣ２に向かうにつれて外刃９０からの突出量が大きくなる。この構成によれば、外刃９０を肌に対して横方向ＷＢに移動させるとき、肌は枠体７１と接触した後にコーム７２Ａおよび外刃９０に接触するため、ユーザーが感じる違和感を低減できる。
【０１４０】
（３１）誘導部７２は、枠体７１の一部として形成される。この構成によれば、誘導部７２および枠体７１を別体にする場合と比較して、外刃保持部７０の強度を向上できる。
（３２）外刃９０および外刃保持部７０は、互いの位置関係を規定する第１位置決め部９８と、第２位置決め部７４Ｃとを有する。そして、第２位置決め部７４Ｃは、外刃保持部７０および誘導部７２のうちの縦方向ＷＡの中央に位置する。この構成によれば、誘導部７２は、誘導部７２の縦方向ＷＡの中央において外刃９０に対して位置決めされる。これにより、誘導部７２の縦方向ＷＡの端部において外刃９０に対して位置決めされる場合と比較して、誘導部７２のコーム７２Ａと外刃９０の刃部９４とがずれにくい。
【０１４１】
（３３）刃ブロック６０は、ヘッド部５０から取り外すことができる。この構成によれば、ヘッド部５０から刃ブロック６０を取り外した状態で刃ブロック６０およびヘッド部５０を洗浄することができる。
【０１４２】
（３４）内刃保持部８０は、内刃固定部８５と隣り合う部分においてフック８６を有する。内刃１００はフック８６と対応する部分にフック８６に引っ掛かるフック引掛部１０７を有する。この構成によれば、内刃１００と内刃保持部８０との固定が強くなる。また、フック８６を内刃固定部８５と隣り合う部分に形成しているため、フック８６を内刃固定部８５から離れた部分に形成する場合と比較して、フック８６を形成するスペースを小さくすることができる。これにより、内刃保持部８０および内刃１００の大きさを小さくすることができる。
【０１４３】
（その他の実施形態）
本発明は、上記実施形態以外の実施形態を含む。以下、本発明のその他の実施形態としての上記実施形態の変形例を示す。なお、以下の各変形例は、互いに組み合わせることもできる。
【０１４４】
・上記実施形態（図６）の外刃９０は、横方向ＷＢに沿って延びるスリット９３を有する。一方、変形例の外刃９０は、横方向ＷＢに対して傾斜して延びるスリットを有する。
・上記実施形態（図６）の外刃９０は、刃中間部９４Ａの厚さが刃端部９４Ｂの厚さよりも小さい。一方、変形例の外刃９０は、刃中間部９４Ａの厚さが刃端部９４Ｂの厚さよりも大きい、または等しい。
【０１４５】
・上記実施形態（図６）の外刃９０は、端部刃幅ＢＤが端部スリット幅ＳＤよりも小さい。一方、変形例の外刃９０は、端部刃幅ＢＤが端部スリット幅ＳＤよりも大きい、または等しい。
【０１４６】
・上記実施形態（図６）の中間刃幅ＢＡは、スリット幅ＳＡよりも大きい。一方、変形例の中間刃幅ＢＡは、スリット幅ＳＡよりも小さい、または等しい。
・上記実施形態（図６）の刃端部９４Ｂは、傾斜部９４Ｃおよび直線部９４Ｄを有する。一方、変形例の刃端部９４Ｂは、傾斜部９４Ｃおよび直線部９４Ｄの一方を省略する。
【０１４７】
・上記実施形態（図６）の刃端部９４Ｂは、直線的に傾斜する傾斜部９４Ｃを有する。一方、変形例の刃端部９４Ｂは、湾曲する傾斜部を有する。
・上記実施形態（図４）の刃ブロック６０は、規制構造としての溝７５Ｂを有し、ヘッド部５０は、規制構造としてのリブ５１Ｌを有する。一方、変形例の刃ブロック６０は、規制構造としてのリブを有し、ヘッド部５０は、規制構造としての溝を有する。
【０１４８】
・上記実施形態（図４）の刃ブロック６０およびヘッド部５０は、刃ブロック６０を正規の方向で取り付けるための規制構造としての溝７５Ｂおよびリブ５１Ｌを有する。一方、変形例の刃ブロック６０およびヘッド部５０は、規制構造を省略する。この場合、刃ブロック６０は、正規の方向に対して１８０度回転した状態でヘッド部５０に取り付けることができる。
【０１４９】
・上記実施形態（図１３）の枠体７１は、刃ブロック６０の平面視において外刃９０の全周を覆う。一方、変形例の枠体は、刃ブロック６０の平面視において外刃９０の一部のみを覆う。
【０１５０】
・上記実施形態（図１３）の外刃保持部７０は、成形品として一体に形成される。一方、変形例の外刃保持部７０は、枠体および固定部分が別体に形成される。
・上記実施形態（図８）の内刃１００は、横方向ＷＢに対して傾斜して延びるスリット１０３を有する。一方、変形例の内刃１００は、横方向ＷＢに平行に延びるスリットを有する。
【０１５１】
・上記実施形態（図１３）の内刃１００は、頂部１０１の全体が外刃９０の刃中間部９４Ａと重なり合う。一方、変形例の内刃１００は、頂部１０１の一部が外刃９０の刃中間部９４Ａと重なり合い、一部が刃端部９４Ｂと重なり合う。
【０１５２】
・上記実施形態（図１３）の内刃１００は、刃相対位置が中立位置のとき外刃９０の全ての刃部９４に内刃１００の刃部１０４の少なくとも一部が重なり合う。一方、変形例の内刃１００は、刃相対位置が中立位置のとき外刃９０の一部の刃部９４に内刃１００の刃部の少なくとも一部が重なり合う。
【０１５３】
・上記実施形態（図７）の外刃保持部７０は、４つの外刃固定部７４Ａと隣り合う部分にそれぞれフック７４Ｂを有する。一方、変形例の外刃保持部７０は、４つのフック７４Ｂのうちの少なくとも１つのフック７４Ｂを省略している。
【０１５４】
・上記実施形態（図７）の誘導部７２は、外刃保持部７０と一体に形成される。一方、変形例の誘導部は、外刃保持部７０と別体に形成される。
・上記実施形態（図７）の誘導部７２のコーム７２Ａは、外刃９０の全ての刃部９４に対応する。一方、変形例の誘導部は、複数の刃部９４のうちの一部に対応する。
【０１５５】
・上記実施形態（図７）の外刃保持部７０は、外刃保持部７０の縦方向ＷＡの中央に第２位置決め部７４Ｃを有する。一方、変形例の外刃保持部７０は、外刃保持部７０の縦方向ＷＡの端部に位置決め部を有する。この場合、外刃９０の第１位置決め部９８を外刃保持部７０の位置決め部に対応した位置に変更する。
【０１５６】
・上記実施形態（図７）の外刃保持部７０は、外刃保持部７０の縦方向ＷＡの中央に第２位置決め部７４Ｃを有する。一方、変形例の外刃保持部７０は、外刃保持部７０の縦方向ＷＡの押方ＷＡ１側の端部と中央の間、または引方ＷＡ２側の端部と中央の間に位置決め部を有する。この場合、外刃９０の第１位置決め部９８を外刃保持部７０の位置決め部に対応した位置に変更する。
【０１５７】
・上記実施形態（図７）の外刃保持部７０は、２つの突出部７１Ｂを有する。一方、変形例の外刃保持部７０は、２つの突出部７１Ｂのうちの一方を省略する。
・上記実施形態（図１４）の外刃保持部７０は、指当構造として各突出部７１Ｂおよび凹部５１Ｙ，５２Ｙを有する。一方、変形例の外刃保持部７０は、指当構造として凹部５１Ｙ，５２Ｙのみを有する。
【０１５８】
・上記実施形態（図１４）の各突出部７１Ｂおよび凹部５１Ｙ，５２Ｙは、外刃９０の引方ＷＡ２側の端部に形成される。一方、変形例の各突出部７１Ｂおよび凹部５１Ｙ，５２Ｙは、外刃９０の押方ＷＡ１側の端部に形成される。
【０１５９】
・上記実施形態（図１４）の各突出部７１Ｂおよび凹部５１Ｙ，５２Ｙは、外刃９０と横方向ＷＢにおいて隣り合う部分に形成される。一方、変形例の各突出部７１Ｂおよび凹部５１Ｙ，５２Ｙは、外刃９０と縦方向ＷＡにおいて隣り合う部分に形成される。
【０１６０】
・上記実施形態（図９）の内刃保持部８０は、２つの内刃固定部８５と隣り合う部分にそれぞれフック８６を有する。一方、変形例の内刃保持部８０は、２つのフック８６のうちの少なくとも１つのフック８６を省略している。
【０１６１】
・上記実施形態（図９）の内刃保持部８０は、２つの内刃固定部８５と隣り合う部分にそれぞれフック８６を有する。一方、変形例の内刃保持部８０は、４つの内刃固定部８５と隣り合う部分にそれぞれフック８６を有する。
【０１６２】
・上記実施形態（図９）の内刃保持部８０は、縦方向ＷＡの中央に連結部８２を有する。一方、変形例の内刃保持部８０は、外刃保持部７０の縦方向ＷＡの押方ＷＡ１側の端部と中央との間、または引方ＷＡ２側の端部と中央との間に連結部を有する。
【０１６３】
・上記実施形態（図１５）の連結部８２は、装置本体１０の中心線Ｃ１および電動モーター２１の回転中心線Ｃ２に位置する。一方、変形例の連結部８２は、装置本体１０の中心線Ｃ１および電動モーター２１の回転中心線Ｃ２のうちの少なくとも一方から所定距離を置いたところに位置する。なお、連結部８２が装置本体１０の中心線Ｃ１および電動モーター２１の回転中心線Ｃ２のうちの一方のみから所定距離を置いたところに位置する場合、装置本体１０の中心線Ｃ１および電動モーター２１の回転中心線Ｃ２は一致しない。
【０１６４】
・上記実施形態（図５）の刃ブロック６０は、２つのばね６１を有する。一方、変形例の刃ブロック６０は、１つ、または３つ以上のばねを有する。
・上記実施形態（図１５）の刃ブロック６０は、ヘッドリンク５３および中継部材５４を有する。一方、変形例の刃ブロック６０は、中継部材５４を省略している。また、第３リンク３３に対する回転が可能な状態でヘッドリンク５３を第３リンク３３に接続する。
【０１６５】
・上記実施形態（図１５）の電気かみそり１は、装置本体１０へのヘッド部５０の取り付けおよび装置本体１０からのヘッド部５０の取り外しが可能な構成を有する。一方、変形例の電気かみそり１は、ヘッド部５０が装置本体１０と一体化している。
【０１６６】
・上記実施形態（図１）の電気かみそり１は、外刃９０としてスリット刃を１つのみを有する。一方、変形例の電気かみそり１は、外刃９０としてスリット刃を複数有する。
・上記実施形態（図１）の電気かみそり１は、外刃９０としてスリット刃のみを有する。一方、変形例の電気かみそり１は、外刃９０としてスリット刃およびネット刃の少なくとも一方を有する。
【符号の説明】
【０１６７】
１…電気かみそり、１０…装置本体（本体）、２１…電動モーター（駆動源）、５３…ヘッドリンク（伝達部）、５３Ｂ…刃接続部分（出力側端部）、５４…中継部材（伝達部、入力側端部）、６１…ばね、８２…連結部、９０…外刃、１００…内刃。
【図１】
2013090670.tif 000003
【図２】
2013090670.tif 000004
【図３】
2013090670.tif 000005
【図４】
2013090670.tif 000006
【図５】
2013090670.tif 000007
【図６】
2013090670.tif 000008
【図７】
2013090670.tif 000009
【図８】
2013090670.tif 000010
【図９】
2013090670.tif 000011
【図１０】
2013090670.tif 000012
【図１１】
2013090670.tif 000013
【図１２】
2013090670.tif 000014
【図１３】
2013090670.tif 000015
【図１４】
2013090670.tif 000016
【図１５】
2013090670.tif 000017
【図１６】
2013090670.tif 000018
【図１７】
2013090670.tif 000019
【図１８】
2013090670.tif 000020